(57)【要約】【課題】ユーザがコンピュータ等の情報端末を使用している状態であっても、画面に表示する画像の認識性を保ちつつ、ディスプレイ装置の消費電力を削減する。【解決手段】ネットワークからコンテンツを取得するウェブページ取得部２１と、コンテンツの色に関する記述を抽出する色情報抽出部２２と、コンテンツの少なくとも一部の色を変更することによってこのコンテンツを表示する表示手段の消費電力が削減されるように、ネットワークから取得したコンテンツの色に関する記述を書き換えるウェブページ編集部２３とを備える。【選択図】図４
2010039638.tif 000002
【特許請求の範囲】
【請求項１】
ネットワークからコンテンツを取得するコンテンツ取得部と、
前記コンテンツの色に関する記述を抽出する色記述抽出部と、
コンテンツを表示する表示手段の消費電力を削減するように、前記ネットワークから取得した前記コンテンツの色に関する記述を書き換えるコンテンツ編集部と
を備えることを特徴とする節電システム。
【請求項２】
前記コンテンツ編集部は、前記コンテンツの色に関する記述を、前記ネットワークから取得したコンテンツを前記表示手段に表示した場合と比較して、当該表示手段の消費電力が小さくなる色に書き換えることを特徴とする請求項１記載の節電システム。
【請求項３】
前記コンテンツの色に関する記述は、当該コンテンツの背景色の記述であることを特徴とする請求項１記載の節電システム。
【請求項４】
前記コンテンツ編集部は、前記コンテンツの前記背景色の記述を、前記ネットワークから取得した当該コンテンツの当該背景色と比較して、明度の低い色の記述に書き換えることを特徴とする請求項３記載の節電システム。
【請求項５】
前記表示手段に対する消費電力の設定節電量の設定を行う節電量設定部をさらに備え、
前記コンテンツ編集部は、前記節電量設定部によって設定された前記設定節電量に基づいて、前記コンテンツの色に関する記述を書き換えることを特徴とする請求項１記載の節電システム。
【請求項６】
前記コンテンツの色に関する記述の書き換えによって想定される前記表示手段における消費電力の削減量に関して、複数の色の組合せからなるリストを格納した色変換データベースをさらに備え、
前記コンテンツ編集部は、前記リストを参照して、前記コンテンツの色に関する記述を書き換えることを特徴とする請求項５記載の節電システム。
【請求項７】
前記リストから前記設定節電量に見合った色の組合せを抽出したテーブルを作成するテーブル作成部をさらに備え、
前記コンテンツ編集部は、前記色記述抽出部が抽出した前記コンテンツの色に関する記述に対応する色の組合せを前記テーブルから選択し、当該ネットワークから取得した当該コンテンツの色に関する記述を当該色の組合せにしたがって書き換えることを特徴とする請求項６記載の節電システム。
【請求項８】
前記テーブル作成部による前記テーブルの作成は、前記コンテンツ編集部による前記コンテンツの色に関する記述の書き換えとは別個のタイミングで行われることを特徴とする請求項７記載の節電システム。
【請求項９】
前記表示手段は複数設けられ、
前記節電量設定部は、グループ分けされた前記複数の表示手段について、当該グループごとに前記設定節電量の設定を行うことを特徴とする請求項５記載の節電システム。
【請求項１０】
ネットワークからコンテンツを取得するコンテンツ取得部と、
前記コンテンツの色に関する記述を抽出する色記述抽出部と、
コンテンツを表示する表示手段の消費電力を削減するように、前記ネットワークから取得した前記コンテンツの色に関する記述を書き換えるコンテンツ編集部と、
前記コンテンツ編集部により変換された前記コンテンツを表示する画像表示部と
を備えることを特徴とする情報処理装置。
【請求項１１】
コンピュータを、
ネットワークからコンテンツを取得するコンテンツ取得手段と、
前記コンテンツの色に関する記述を抽出する色記述抽出手段と、
コンテンツを表示する表示手段の消費電力を削減するように、前記ネットワークから取得した前記コンテンツの色に関する記述を書き換えるコンテンツ編集手段として
機能させることを特徴とするプログラム。
【発明の詳細な説明】
【技術分野】
【０００１】
本発明は、情報端末の節電システム等に関する。
【背景技術】
【０００２】
近年、地球温暖化対策の一環として、ＣＯ２排出量を削減すべく様々な活動が展開されている。例えば「チーム−６％」に代表される活動には、個人に限らず、多くの企業等が参加しており、ＣＯ２排出量の削減に対する貢献がなされている。また、企業等にとっては、地球温暖化対策に限らずとも、経費節約の点からオフィス等における消費電力量を抑えたいという意向は常にある。
ここで、例えば企業のオフィス等における取り組みの一つとして、社員が個別に使用するパーソナルコンピュータ（ＰＣ）の消費電力量の削減が挙げられる。特に、社員数が数万人といった大規模の企業において個々のＰＣの消費電力量を削減した場合、企業全体としての削減電力も大きいものとなる。また、ＰＣの消費電力に関しては、ディスプレイ装置の占める割合が大きく、ディスプレイ装置の消費電力を抑えることは効果的な方策となる。
【０００３】
例えば特許文献１には、ＣＲＴ（ブラウン管方式）のディスプレイ装置を備えたＰＣにおいて、ＰＣのオペレータの存在を検出するセンサーを備え、このセンサーの検知結果に基づいて、電子線の偏向を制御する偏向回路と映像増幅回路とを制御することにより、ディスプレイ装置の消費電力状態を変化させる技術が開示されている。
さらに、ディスプレイ装置における消費電力の削減に関して、例えば特許文献２には、携帯端末機器において節電モードを設け、節電モードである場合に携帯端末機器の画面に表示される画像の色相の反転あるいは明度の低下によって、携帯端末機器の消費電力を抑制する技術が開示されている。
【０００４】
【特許文献１】特開平０８−４４３２８号公報
【特許文献２】特開２００７−６０６６６号公報
【発明の開示】
【発明が解決しようとする課題】
【０００５】
ここで、例えば特許文献１に記載されている節電システムでは、ＰＣのユーザが席を離れない限りディスプレイ装置の節電が実行されることはない。したがって、ユーザがＰＣを利用している間に消費電力の削減を行うことは難しい。
また、例えば特許文献２に記載されている表示画像の変換については、画面に表示される画像について一律に色相が反転されることになる。例えば、変換対象の画像に「人物」や「風景」等が含まれている場合、これら「人物」や「風景」の画像等に対しても色相の反転が行われるため、変換後の画像がユーザにとって認識し難いものとなる可能性が高い。
【０００６】
本発明は、ユーザがコンピュータ等の情報端末を使用している状態であっても、画面に表示する画像の認識性を保ちつつ、ディスプレイ装置の消費電力を削減することを目的とする。
【課題を解決するための手段】
【０００７】
かかる目的を達成するために、本発明は、次のような節電システムとして実現される。このシステムは、ネットワークからコンテンツを取得するコンテンツ取得部と、コンテンツの色に関する記述を抽出する色記述抽出部と、コンテンツを表示する表示手段の消費電力を削減するように、ネットワークから取得したコンテンツの色に関する記述を書き換えるコンテンツ編集部とを備える。
より詳細には、コンテンツ編集部は、コンテンツの色に関する記述を、ネットワークから取得したコンテンツを表示手段に表示した場合と比較して、表示手段の消費電力が小さくなる色に書き換える。
ここで、コンテンツの色に関する記述は、このコンテンツの背景色の記述であることとする。
さらに具体的には、コンテンツ編集部は、コンテンツの背景色の記述を、ネットワークから取得したコンテンツの背景色と比較して、明度の低い色の記述に書き換えることを特徴とする。
【０００８】
また、上記のシステムに、表示手段に対する消費電力の設定節電量の設定を行う節電量設定部をさらに備える構成とすることができる。この場合、コンテンツ編集部は、節電量設定部によって設定された設定節電量に基づいて、コンテンツの色に関する記述を書き換える。
また、上記のシステムに、コンテンツの色に関する記述の書き換えによって想定される表示手段における消費電力の削減量に関して、複数の色の組合せからなるリストを格納した色変換データベースをさらに備える構成とすることができる。この場合、コンテンツ編集部は、このリストを参照して、コンテンツの色に関する記述を書き換える。
また、上記のシステムに、リストから設定節電量に見合った色の組合せを抽出したテーブルを作成するテーブル作成部をさらに備える構成とすることができる。この場合、コンテンツ編集部は、色記述抽出部が抽出したコンテンツの色に関する記述に対応する色の組合せをこのテーブルから選択し、ネットワークから取得したコンテンツの色に関する記述をこの色の組合せにしたがって書き換える。
ここで、より好ましくは、このテーブル作成部によるテーブルの作成は、コンテンツ編集部によるコンテンツの色に関する記述の書き換えとは、別個のタイミングで行われる。
また、上記のシステムにおいて、表示手段が複数設けられ、節電量設定部は、グループ分けされた複数の表示手段について、このグループごとに設定節電量の設定を行う構成とすることもできる。
【０００９】
また、本発明は、次のように構成された情報処理装置としても実現される。この装置は、ネットワークからコンテンツを取得するコンテンツ取得部と、コンテンツの色に関する記述を抽出する色記述抽出部と、コンテンツを表示する表示手段の消費電力を削減するように、ネットワークから取得したコンテンツの色に関する記述を書き換えるコンテンツ編集部と、コンテンツ編集部により変換されたコンテンツを表示する画像表示部とを備える。
【００１０】
さらに本発明は、コンピュータを制御して、上記の節電システムや情報処理装置の各機能を実現するプログラムとしても実現される。このプログラムは、光ディスクや磁気ディスク、半導体メモリ、その他の記録媒体に格納して配布したり、ネットワークを介して配信したりすることにより、提供することができる。
【発明の効果】
【００１１】
本発明によれば、ユーザがコンピュータ等の情報端末を使用している状態であっても、画面に表示する画像の認識性を保ちつつ、ディスプレイ装置の消費電力を削減することが可能となる。
【発明を実施するための最良の形態】
【００１２】
以下、添付図面を参照して、実施形態について詳細に説明する。
図１は、節電システムを実現するためのハードウェア構成の一例を示す。
図１には、内部ネットワークと外部ネットワークとが記載されており、内部ネットワークを構成する複数のクライアントＰＣ１０は、中継器２０を介して外部ネットワークに接続している。そして、図１に示すハードウェア構成において、本実施形態の節電システムの機能は、中継器２０と複数のクライアントＰＣ１０とによって実現される。
【００１３】
内部ネットワークは、例えば企業や学校等において複数のクライアントＰＣ１０がローカルエリアネットワーク（ＬＡＮ）接続されて構成されたネットワークである。なお、内部ネットワークを構成する各クライアントＰＣ１０は、物理的に同一のフロアや同一の建物内に設置されている必要はない。
【００１４】
外部ネットワークとしては、例えばインターネットが挙げられ、ネットワーク内に種々のコンテンツを提供するサーバ等が設置されている。ここで、コンテンツには、テキスト、画像、音声またはこれらの組み合わせ等が該当する。なお、以下では、コンテンツの一例としてウェブページについての説明を行う。
【００１５】
中継器２０は、クライアントＰＣ１０と外部ネットワークに置かれたサーバ等との間でのデータの送受信を中継するものである。クライアントＰＣ１０によって外部ネットワーク上のウェブページの取得要求がなされると、このウェブページは、中継器２０を経由して外部ネットワークからクライアントＰＣ１０へと送られる。中継器２０としては、例えば、ルータやその他のゲートウェイを用いることができる。また、ネットワーク構成によっては、プロキシサーバや各種のフィルタリングサーバ等に中継器２０の機能を持たせるようにしても良い。
【００１６】
本実施形態が適用される中継器２０は、内部ネットワークを構成する複数のクライアントＰＣ１０のディスプレイ装置１００の消費電力の削減を図る機能を備えている。より具体的には、中継器２０は、外部ネットワークから取得したウェブページ（以下、原ウェブページという）をクライアントＰＣ１０に中継する際に、原ウェブページの例えば背景色等を変換し、ディスプレイ装置１００による電力消費の抑制を図る。このとき、中継器２０は、原ウェブページのソースコードにおける色に関する記述を書き換えて、原ウェブページの背景色等を変換する。
【００１７】
図２は、本実施形態が適用される節電システムを実現するクライアントＰＣ１０および中継器２０のハードウェア構成を説明するための図である。
クライアントＰＣ１０および中継器２０は、演算手段であるＣＰＵ１０ａと、主記憶装置であるメインメモリ１０ｃと、ディスプレイ装置１００へ表示出力を行うための表示機構１０ｄと、表示機構１０ｄからの出力に基づいて所定の画像を表示するディスプレイ装置１００とを備える。また、ネットワークを介して外部機器に接続するためのネットワークインターフェイス１０ｆと、補助記憶装置である磁気ディスク装置１０ｇと、音声出力を行うための音声機構１０ｈと、入力デバイス１０ｉとを備えて構成される。
【００１８】
また、図２に示すように、メインメモリ１０ｃおよび表示機構１０ｄは、Ｍ／Ｂ（マザーボード）チップセット１０ｂを介してＣＰＵ１０ａに接続されている。ネットワークインターフェイス１０ｆ、磁気ディスク装置１０ｇ、音声機構１０ｈ、入力デバイス１０ｉ、ブリッジ回路１０ｅを介してＭ／Ｂチップセット１０ｂと接続されている。
【００１９】
図２において、各構成要素は、バスを介して接続される。例えば、ＣＰＵ１０ａとＭ／Ｂチップセット１０ｂの間や、Ｍ／Ｂチップセット１０ｂとメインメモリ１０ｃの間は、ＣＰＵバスを介して接続される。また、Ｍ／Ｂチップセット１０ｂと表示機構１０ｄとの間は、ＡＧＰ（Accelerated Graphics Port）を介して接続されてもよいが、表示機構１０ｄがＰＣＩ  Ｅｘｐｒｅｓｓ対応のビデオカードを含む場合、Ｍ／Ｂチップセット１０ｂとこのビデオカードの間は、ＰＣＩ  Ｅｘｐｒｅｓｓ（ＰＣＩｅ）バスを介して接続される。また、ブリッジ回路１０ｅと接続する場合、ネットワークインターフェイス１０ｆについては、例えば、ＰＣＩ  Ｅｘｐｒｅｓｓを用いることができる。また、磁気ディスク装置１０ｇについては、例えば、シリアルＡＴＡ（AT Attachment）、パラレル転送のＡＴＡ、ＰＣＩ（Peripheral Components Interconnect)等を用いることができる。
【００２０】
また、ディスプレイ装置１００には、表示する色に応じて消費電力が変わる自発光型のものを用いている。ディスプレイ装置１００には、ブラウン管方式（ＣＲＴ）、プラズマ方式（ＰＤＰ）、有機ＥＬ（Electro Luminescence）方式等を採用することができる。これらの方式のディスプレイ装置では、発光原理がそれぞれ異なるものの、例えば白色を表示する場合にはＲＧＢ各色の光源（ＲＧＢ各色に対応する光源も含む）を発光させて白色を再現する。一方、例えば黒色を表示する場合には、逆にＲＧＢの各色の光源を消灯させる。従って、上記の各方式のディスプレイ装置においては、表示画像に占める黒色の面積が大きくなればなるほど、光源によって消費される電力が減少し、ひいてはディスプレイ装置１００全体としての消費電力も減少する。
【００２１】
なお、上記の自発光型に対し、非自発光型のディスプレイ装置として液晶方式（ＬＣＤ）が挙げられる。この液晶方式のディスプレイ装置は、主に液晶パネルとバックライト光源とによって構成されており、一般的には、白や黒などの表示色にかかわらずバックライト光源から液晶パネルに向けて光が常に照射される。したがって、液晶方式のディスプレイ装置においては、上記の自発光型のディスプレイ装置と異なり、表示画面の広さに応じて消費電力が大きく変わることはない。
【００２２】
ただし、近年、液晶方式のディスプレイ装置において、表示画像の中で例えば黒など光照射が不要なエリアに対しては選択的に光を照射しない所謂ローカルエリアコントロール機能が搭載され始めている。このような機能を備えた液晶方式のディスプレイ装置であれば、本実施形態が適用されるクライアントＰＣ１０のディスプレイ装置１００として用いた場合、表示画像に占める例えば黒色等の面積に応じて、光源（バックライト）の電力消費を変化させることができる。よって、本実施形態を適用し、消費電力の削減を実現できる。
【００２３】
また、図２は、クライアントＰＣ１０および中継器２０を実現するのに好適なハードウェア構成を例示するに過ぎず、図示の構成に限定されないことは言うまでもない。例えば、補助記憶装置としては磁気ディスク装置１０ｇのみを設け、各種の光学ディスクをメディアとするドライブを設けても良い。また、音声機構１０ｈを独立した構成とせず、Ｍ／Ｂチップセット１０ｂの機能として備えるようにしても良い。
【００２４】
さらに、上述したように中継器２０としてルータを用いる場合、中継器２０は、後述する各機能部による機能を実現するプロセッサおよび色変換リスト（後述）等を格納するメモリを備えていれば良い。
【００２５】
図３は、クライアントＰＣ１０の機能構成を示す図である。
本実施形態のクライアントＰＣ１０は、文書作成ソフト等の各種アプリケーションを実行するアプリケーション実行部１１と、中継器２０あるいは内部ネットワークにおける他のクライアントＰＣ１０等との間でのネットワーク接続の管理を行うネットワーク管理部１２と、ウェブページ等のコンテンツを解析し再生するコンテンツ再生部１３と、アプリケーション実行部１１やコンテンツ再生部１３によって実行・再生された内容を受付け、画面表示するための画像信号を作成する画像信号作成部１４と、画像信号作成部１４からの画像信号に基づいて画像を表示する画像表示部１５とを備えている。
なお、本実施形態では、コンテンツの一例としてウェブページを例示しているため、コンテンツ再生部１３は、いわゆるウェブページブラウザに相当する。
【００２６】
ここで、アプリケーション実行部１１およびコンテンツ再生部１３は、メインメモリ１０ｃに読み込まれたプログラムをＣＰＵ１０ａが実行することにより実現される機能である。ネットワーク管理部１２は、ネットワークインターフェイス１０ｆおよびＣＰＵ１０ａによって実現される機能である。また、画像信号作成部１４は、表示機構１０ｄによって実現され、画像表示部１５はディスプレイ装置１００によって実現される機能である。このように、図３に示すクライアントＰＣ１０の各機能ブロックは、ソフトウェアとハードウェア資源とが協働して実現される手段である。
【００２７】
図４は、中継器２０の機能構成を示す図である。
図４に示すように、中継器２０は、原ウェブページのデータ取得を行うウェブページ取得部２１と、原ウェブページから色に関する情報を抽出する色情報抽出部２２と、原ウェブページの色に関する情報を書き換えるウェブページ編集部２３と、ディスプレイ装置１００に対する消費電力の削減量（節電量）を受付ける設定受付部２４と、色に関する記述の変換パターンのリストが格納された色変換リストＤＢ２５と、ウェブページ編集部２３が色に関する記述を書き換える際に参照するテーブルを作成する変換テーブル作成部２６とを備える。
【００２８】
ここで、ウェブページ取得部２１、色情報抽出部２２、ウェブページ編集部２３、設定受付部２４および変換テーブル作成部２６は、メインメモリ１０ｃに読み込まれたプログラムをＣＰＵ１０ａが実行することにより実現される機能である。色変換リストＤＢ２５は、メインメモリ１０ｃや磁気ディスク装置１０ｇ等の記憶手段で実現される。このように、図４に示す中継器２０の各機能ブロックは、ソフトウェアとハードウェア資源とが協働して実現される手段である。
【００２９】
ウェブページ取得部２１は、外部ネットワークから原ウェブページのデータを取得し、原ウェブページのデータをＣＰＵ１０ａのキャッシュメモリ等の記憶手段に一時的に記憶する。なお、ウェブページは、ＨＴＭＬ言語やＸＭＬ言語等に代表されるマークアップ言語によって記述されているものである。表示されるウェブページに関して、背景色、文字色、テキストのフォント、リンク先アドレス等の属性は、タグの記述によって指定できる。また、本実施形態のウェブページ取得部２１は、原ウェブページのデータの全てあるいは一部を色情報抽出部２２およびウェブページ編集部２３にそれぞれ渡す。
【００３０】
色情報抽出部２２は、ウェブページ取得部２１が取得した原ウェブページから色に関する記述を抽出する。ここで、ウェブページのソースコードのうち背景色、文字色等の色に関する記述は、下記の例のようにタグによって指定される。
< body  bgcolor =“#ffffff”  text =“#000000”  link =“#0000cc”  … ＞
色情報抽出部２２は、原ウェブページのソースコードを構成するタグの記述から各要素の色の属性を、色に関する記述として抽出する。なお、上記のタグを例にとると、「bgcolor」が背景色を、「text」が文字色を、「link」がリンク表示の色を指定しており、それぞれについて#ffffff（白色）、#000000（黒色）、#0000cc（青色）等の色コードが指定されている。そして、色情報抽出部２２は、原ウェブページから得られたこれらの色に関する記述をウェブページ編集部２３に送る。
【００３１】
ウェブページ編集部２３は、変換テーブル作成部２６から原ウェブページの色の記述を書き換える際に参照する変換テーブルを取得する。また、ウェブページ編集部２３は、ウェブページ取得部２１から原ウェブページのデータを、色情報抽出部２２から原ウェブページの色に関する記述のデータをそれぞれ受け取る。
そして、ウェブページ編集部２３は、変換テーブル作成部２６から取得した変換テーブルおよび色情報抽出部２２から受け取った原ウェブページの色に関する記述に基づいて、原ウェブページの色に関する記述を書き換える。また、ウェブページ編集部２３は、色の記述を書き換えた変換後のウェブページをクライアントＰＣ１０に送信する。
【００３２】
設定受付部２４は、中継器２０に接続されている複数のクライアントＰＣ１０において節約を図りたい電力量（以下、設定節電量という）を受付ける。そして、設定受付部２４は、クライアントＰＣ１０一台あたりの削減電力（以下、個別削減電力という）を決定する。設定受付部２４は、決定した個別削減電力の値を変換テーブル作成部２６に渡す。
【００３３】
ここで、図５を参照しながら、設定受付部２４が設定節電量を受付ける場合について説明する。
図５は、設定受付部２４が設定を受付ける際に表示するインターフェイスの例を示す図である。なお、このインターフェイスは、複数のクライアントＰＣ１０のうちいずれか１台を設定用ＰＣとした場合にそのＰＣのディスプレイ装置１００の画面に表示される。また、中継器２０自体が表示画面を備えている構成であれば、その表示画面にインターフェイスが表示される。
【００３４】
図５に例示するインターフェイスは、設定節電量と、内部ネットワークを構成するクライアントＰＣ１０の台数と、各クライアントＰＣ１０（ＰＣユーザ）によってウェブページが閲覧される（想定）時間との３つを受付項目として備えている。
図５に示す例のように、ユーザ（節電管理者等）が設定節電量を２７万Ｗｈに設定する場合には、ユーザは、インターフェイスに表示される設定節電量の入力覧に「２７（万Ｗｈ）」と入力する。同様に、ユーザは、クライアントＰＣ１０の台数に関して「１００００（台）」、ウェブページの閲覧時間に関して「３（時間）」とそれぞれ入力欄に入力する。そして、設定受付部２４は、インターフェイスを介して得られた設定節電量、台数および閲覧時間の値に基づいて個別削減電力を算出する。この例では、設定受付部２４は、個別削減電力が「９（Ｗ／台）」であると算出する。そして、設定受付部２４は、算出した個別削減電力の値を変換テーブル作成部２６に渡す。
【００３５】
なお、本実施形態の中継器２０は、原ウェブページの背景色を書き換えることによりディスプレイ装置１００の消費電力の削減を図るものである。よって、原ウェブページの背景色等を変換するにあたって参照するものとして、「設定節電量」を用いている。しかしながら、実際に本実施形態の中継器２０の機能によって削減されるディスプレイ装置１００の消費電力は、後述するようにクライアントＰＣ１０が取得要求し、実際に表示されるウェブページの背景色の条件によって変動する。したがって、設定節電量は、あくまで目標値として位置づけられる。
【００３６】
色変換リストＤＢ２５には、ブラウン管方式のディスプレイ装置を一例として、ディスプレイ装置一台あたりに関し、原ウェブページの背景色を他の背景色に変更した場合に削減される消費電力のリスト（以下、色変換リストという）が格納されている。
ここで、図面を参照しながら、色変換リストについて具体的に説明する。
図６は、色変換リストの一例を示す図である。図６（ａ）は原ウェブページの背景色が白色である場合のリストであり、図６（ｂ）は原ウェブページの背景色が水色である場合のリストである。
図６（ａ）を参照すると、例えば、原ウェブページの背景色が白色（色コード：#ffffff）であり、その背景色を黒色（色コード：#000000）に変更した場合に得られる削減電力は１５（Ｗ：ワット）であることがわかる。同様に、原ウェブページの背景色を白色から青色に変えた場合に得られる削減電力は９（Ｗ）であることがわかる。
また、図６（ｂ）を参照すると、原ウェブページの背景色が水色であり、その背景色を黒色に変更した場合に得られる削減電力は９（Ｗ）であることがわかる。同様に、原ウェブページの背景色が水色（色コード：#ccffff）であり、その背景色を青色（色コード：#0000cc）に変更した場合に得られる削減電力は３（Ｗ）であることがわかる。
以上のように、色変換リストは、原ウェブページの背景色を原ウェブページの背景色とは異なる背景色に変換させた場合と、その場合に得られる削減電力とを関連づけた「変換パターン」の集合である。
【００３７】
なお、図６（ａ）および（ｂ）では、原ウェブページの背景色がそれぞれ白色あるいは水色である場合の例を示して説明したが、実際には、他の色に関しても色変換リストＤＢ２５に格納しておくことが可能である。また、上記の例では、ブラウン管方式（ＣＲＴ）による例を示したが、プラズマディスプレイなど他の方式のディスプレイ装置に関しても、上記と同様に色変換リストを準備することができる。さらに、ウェブページの背景色に限らず、ウェブページの文字色を変換するためのリスト等、ウェブページの色に関する記述に対応するものであれば、同様にリストを準備することができる。
【００３８】
そして、変換テーブル作成部２６は、設定受付部２４から取得した個別削減電力に見合った削減電力を得られる変換パターンを、色変換リストＤＢ２５に格納された色変換リストから選び出す。そして、変換テーブル作成部２６は、色変換リストから選び出した変換パターンからなる「変換テーブル」を作成する。そして、変換テーブル作成部２６は、作成した変換テーブルをウェブページ編集部２３に送る。
【００３９】
次に、中継器２０の動作フローについて説明する。上述したように、ウェブページ編集部２３は、変換テーブル作成部２６によって作成された変換テーブルを参照して原ウェブページの色に関する記述を書き換える。ここで、ウェブページ編集部２３の処理を効率良く行うためには、予め削減電力を設定し、これに応じた変換テーブルを作成しておくことが好ましい。なお、以下の説明では、中継器２０の動作フローに関して、「削減電力の設定動作」と「ウェブページの色変換動作」との順で説明する。
なお、以下では、原ウェブページの背景色が白色である場合を例として、節電管理者等から受付ける設定節電量等の条件は、図５を参照しながら説明したインターフェイスの入力条件と同じであるとして説明を行う。
【００４０】
図７は、中継器２０における削減電力の設定動作を示す図である。
設定受付部２４は、インターフェイスを介して節電管理者等から受付けた設定節電量等のパラメータに基づいて個別削減電力を算出する（ステップ１０１）。そして、設定受付部２４は、算出した個別削減電力の値を変換テーブル作成部２６に送る。なお、この例では、個別削減電力は、９（Ｗ／台）であるものとする。
【００４１】
個別削減電力の値を受け取った変換テーブル作成部２６は、色変換リストＤＢ２５に格納された色変換リストを参照する（ステップ１０２）。そして、色変換リストの中から、個別削減電力に見合った削減電力が得られる背景色の変換パターンを抽出し（ステップ１０３）、変換テーブルを作成する（ステップ１０４）。さらに、変換テーブル作成部２６は、作成した変換テーブルをウェブページ編集部２３に渡す（ステップ１０５）。
この例では、個別削減電力が９（Ｗ／台）であるため、変換テーブル作成部２６は、色変換リストＤＢ２５に格納された色変換リスト（図６参照）を参照し、９（Ｗ）の削減電力が得られる変換パターンを抽出する。そして、図６に示す色変換リストの例では、原ウェブページの背景色が白色である場合に９（Ｗ）の削減電力が得られるパターンとして、背景色を青色に変換するパターンが選択される。同様に、原ウェブページの背景色が水色である場合に９（Ｗ）の削減電力が得られるパターンとして、背景色を黒色に変換するパターンが選択される。これらの処理によって、この例では、変換テーブル作成部２６は、原ウェブページの背景色が白色である場合と、水色である場合とを想定した２パターンを備えた変換テーブルを作成し、この変換テーブルをウェブページ編集部２３に送る。
【００４２】
図８は、中継器２０の動作におけるウェブページの色変換動作を示す図である。
クライアントＰＣ１０によって原ウェブページの取得要求がなされると、ウェブページ取得部２１は、外部ネットワークから原ウェブページを取得し、原ウェブページを一時的に保持する（ステップ２０１）。
【００４３】
そして、色情報抽出部２２は、ウェブページ取得部２１が保持している原ウェブページから、背景色の記述を抽出する（ステップ２０２）。その後、色情報抽出部２２は、抽出した原ウェブページの背景色の記述をウェブページ編集部２３に渡す。具体的には、上述したように、原ウェブページのソースコードにおけるタグによって指定された背景色の属性（色コード）を検出する。なお、上述の例では、原ウェブページの背景色は白色であり、ウェブページ編集部２３は、背景色の属性が白であるというデータを取得する。
【００４４】
そして、ウェブページ編集部２３は、変換テーブル作成部２６から取得している変換テーブルを参照して、変換テーブルのうち原ウェブページの背景色が白色であるパターンを読み込む（ステップ２０３）。この例では、図７を参照しながら説明したステップ１０４にて作成された変換テーブルのうち、原ウェブページの背景色を白色から青色に変換する変換パターンが選択される。
その後、ウェブページ編集部２３は、原ウェブページの背景色の記述を、選択された変換パターンに基づいて書き換える（ステップ２０４）。この例では、原ウェブページの背景色の記述について白色から青色に書き換える。そして、ウェブページ編集部２３は、変換後のウェブページのデータを、その原ウェブページの取得要求をしていたクライアントＰＣ１０に送信する（ステップ２０５）。
【００４５】
なお、一般的に原ウェブページの背景色が白色である場合には、文字色は黒色であることが多い。原ウェブページの文字色が黒色である場合に、上記の例のように背景色を黒色、藍色等に変換すると文字と背景とが同化してしまい、文字が読みづらくなることが予想される。従って、原ウェブページの背景色の変換に併せて、例えば原ウェブページの文字色を黒色から灰色に変換するように構成しても良い。
【００４６】
また、上記の実施例では、原ウェブページの背景色を白色から青色にする例を説明したが、個別削減電力が上記の例（９Ｗ）より小さければ、必ずしも背景色を青色にする必要はない。例えば、個別削減電力が（６Ｗ）である場合には、背景色の変換は白色から水色に設定される。よって、個別削減電力によって黒色などといった極端に明度の低い色から、水色などの比較的明度の高い色まで背景色の変換を段階的に行うことが可能である。
【００４７】
なお、上述の例では、個別削減電力と色変換リストにおける削減電力とが数値として一致している場合について説明した。個別削減電力と削減電力とが数値として一致しない場合には、個別削減電力に近い削減電力が得られるパターンが選択される。また、例えば、ある個別削減電力が設定されたとき、色変換リストに用意された変換パターンにおける削減電力の最大値を超えることも想定される。この場合には、変換パターンの中で、最も削減電力の大きいパターンが選択される。すなわち、図６（ａ）、（ｂ）に示す例では、背景色を黒色に変換した場合に最も削減電力が大きくなることから、変換後の背景色が黒色となる変換パターンからなる変換テーブルが作成され、ウェブページ編集部２３にこの変換テーブルが送信される。
ただし、上記のように個別削減電力に対し変換パターンにおける削減電力の最大値が超えている場合には、ウェブページ編集部２３は、変換テーブルを参照するまでもなく、原ウェブページの背景色を一律に黒色に書き換えるように設定しても構わない。この場合には、変換テーブル作成部２６が、変換テーブルの代わりに、「原ウェブページの背景色を一律黒色にする」という指示を送るように設定しておけば良い。
【００４８】
図９は、ディスプレイ装置１００に表示された原ウェブページと変換後のウェブページとを示す図である。図９（ａ）は原ウェブページを、図９（ｂ）は背景色の変換後のウェブページを表している。
図９に示すよう、変換後のウェブページをディスプレイ装置１００に表示した場合、背景色が白色である原ウェブページを表示する場合と比較して、背景部分が暗くなるため、ディスプレイ装置１００の消費電力を抑えることができ、個別削減電力の達成が可能となる。さらに、これらが内部ネットワークを構成する複数のクライアントＰＣ１０においてそれぞれ実行されることによって、内部ネットワーク全体としての設定節電量の目標の達成を図ることができる。
【００４９】
なお、中継器２０に接続される複数のクライアントＰＣ１０について、いくつかのグループに分け、グループ毎に設定節電量を設定しても良い。この場合、予めクライアントＰＣ１０にグループで共通なＩＤ等の識別子を割り当てておく。そして、設定受付部２４においては、グループ毎に設定節電量を受付け、各グループに属するクライアントＰＣ１０の個別削減電力を設定する。さらに、変換テーブル作成部２６は、グループ毎に変換テーブルを作成し、それら変換テーブルをウェブページ編集部２３に渡しておく。
そして、あるクライアントＰＣ１０からウェブページの取得要求がなされた際には、ウェブページ取得部２１が、原ウェブページと、その取得要求をしたクライアントＰＣ１０の属するグループの識別子とを関連づけてウェブページ編集部２３に渡すように構成しておくことにより、ウェブページ編集部２３は、グループ毎に背景色等の書き換えを行うことができる。
上記のように構成することにより、例えば、設定節電量の設定単位のグループを企業等の部署ごととした場合、部署の活動内容等に応じて部署単位で多様な節電量の設定を行うことが可能である。ある部署においては、常時、設定節電量を上回る節電が達成される場合、その余剰分の節電量を他の部署の設定節電量に反映する等を行い、内部ネットワークにおけるトータルの設定節電量として目標を達成するといったことも可能となる。
【００５０】
ところで、画面に表示されるウェブページ等の画像は、背景、文字、写真画像等の要素から構成されるものであるが、本実施形態では画像に関して全ての要素に関する色を変換するのではなく例えば背景色等、画像の要素の一部に関して色の変換を行う。ここで、ディスプレイ装置１００の消費電力を削減する手法として、表示する画像に対して例えば色度を反転して比較的暗い色に変換する、あるいは、明度を低下させる等の処理を行うことも考えられる。しかしながら、この手法を採用した場合、通常、表示する画像「全体（全て）」に対して一律に上記の処理を行うこととなる。
【００５１】
これに対して、本実施形態では、原ウェブページのソースに対して例えば上述したように背景色の記述を書き換えるなど、原ウェブページを構成する要素に対して選択的に色変換処理を行うことができる。従って、例えば写真画像など閲覧するユーザにとって色変換されると好ましくない（認識しづらくなる）要素に関しては、原ウェブページのデータをそのまま表示することができる。よって、本実施形態の節電システムでは、例えばウェブページ等の内容が認識できる範囲での原ウェブページの色に関する変換を行いつつ、且つ、ディスプレイ装置１００の電力消費を抑えることが可能である。
【００５２】
なお、原ウェブページの中には、背景色の記述がないものも存在する。ブラウザがこのようなウェブページを表示する際には、一般的に白色の背景色が設定され、画面に表示される。よって、背景色の指定がなされていない原ウェブページの場合には、背景色が白色であると仮定し、上述したように原ウェブページの背景色が記述を新たに作成して書き込む処理が行われる。
【００５３】
上述した実施形態では、クライアントＰＣ１０がＬＡＮ接続されてなる内部ネットワークにおける例を説明したがこの実施形態に限られる訳ではない。例えば、携帯電話機やＰＤＡ等の携帯情報端末において、所定のプロキシサーバを経由してネットワークからウェブページ等のコンテンツをダウンロードする場合においても、節電システムを適用することができる。このような場合において、節電システムの機能は、中継器２０と同様の機能を持たせたプロキシサーバと携帯情報端末とによって実現される。
【００５４】
以上のように、中継器２０は、ウェブページの背景色等を書き換えることにより、各クライアントＰＣ１０の消費電力の削減を図っている。よって、本実施形態の中継器２０を設けることにより、原ウェブページの背景色が黒色でない限りは、例え少量であっても消費電力を削減することが可能となる。また、本実施形態では、一例として予め設定した設定節電量に基づいてウェブページの背景色の変換色を決定している。この設定節電量に関して、原ウェブページの条件によって、設定節電量に対して実際に得られる節電量は変動する。しかしながら、中継器２０を設けることにより、設定節電量に対する実際の節電量に変動があるものの、消費電力の削減を実現することができる。
【００５５】
＜他のシステム構成＞
図１０は、他のシステム構成を示す図である。
図１に示した上記実施形態のシステム構成では、内部ネットワークと外部ネットワークとの間に設けられる中継器２０によって、複数のクライアントＰＣ１０の削減電力を管理し、複数のクライアントＰＣ１０において閲覧されるウェブページを一括して編集していた。これに対し、図１０に示すように、上記実施形態において中継器２０に備えられていたウェブページ取得部２１、色情報抽出部２２、ウェブページ編集部２３、設定受付部２４、色変換リストＤＢ２５および変換テーブル作成部２６を各クライアントＰＣ１０に独立して備えるシステムとして構成し、クライアントＰＣ１０ごとにウェブページを編集し、削減電力の設定を行うようにしても良い。
【００５６】
この例の場合、設定受付部２４が受付ける削減電力の設定は、クライアントＰＣ１０毎に行う。よって、設定受付部２４が設定を受付ける際のインターフェイスは、図５に示す例に対し、クライアントＰＣ１０ごとに削減電力の設定を行う仕様にしている。このような構成では、各クライアントＰＣ１０において、各ユーザが個別に削減電力の設定をすることを考慮すると、「何ワット」といった具体的な数値による定量的な入力よりも、消費電力の削減量を区分していくつかのモードに関連づけた定性的な入力方式の方がより好ましい。例えば、設定受付部２４は、インターフェイスにおいて、目標の削減電力が１２Ｗ以上となる「強節電モード」、６Ｗ未満の「弱節電モード」、６Ｗ以上１２Ｗ未満の「中節電モード」と三段階の節電モードを表示し、これらの選択肢から削減電力の設定を受付けるようにしても良い。
【００５７】
各クライアントＰＣ１０の設定受付部２４は、インターフェイスから受付けた各種節電モードに基づいて、対応する削減電力の数値を変換テーブル作成部２６に渡す。そして、ウェブページ編集部２３は、変換テーブル作成部２６から色変換リストを受け取り、上述したように、原ウェブページの背景色等の変換を行う。
【００５８】
なお、本実施形態の節電システムは、ＬＡＮ接続された企業等の内部ネットワークに接続されたクライアントＰＣを例示したものであるが、この態様に限定されるものではない。
例えば、携帯電話機等の携帯端末を節電対象機器とした節電システムとすることも可能である。この場合、携帯端末が図１に示したクライアントＰＣ１０に相当する。また、携帯端末のアクセスするＩＳＰ（インターネット・サービス・プロバイダ）のプロキシサーバ等に、図４を参照して説明した、本実施形態の中継器２０によるウェブページの変換機能を持たせる。そして、携帯電話機等の携帯端末からインターネット上のウェブページのアクセスが行われた際に、このプロキシサーバ等において、原ウェブページの背景色等を変換し、携帯端末等に送信する。
【００５９】
さらに、近年、インターネット等に接続できる通信機能を備えたテレビ等の家電製品等のいわゆる情報家電が普及してきている。これらに対しても、本実施形態の節電システムを適用することができる。この場合、各情報家電がクライアントＰＣ１０に相当する。また、情報家電のアクセスするＩＳＰのプロキシサーバ等に、本実施形態の中継器２０による原ウェブページの変換機能を持たせる。これにより、情報家電が有するディスプレイに表示される画像の背景色等を変換することが可能となり、家庭における電力消費の削減を図ることができる。
【００６０】
また、本実施形態の中継器２０による原ウェブページの変換機能を、インターネット上のウェブサイトに設けることもできる。例えば、検索サイトの検索エンジンにウェブページの変換機能を持たせておき、この検索エンジンを利用して検索したウェブページを閲覧する際には、そのウェブページの背景色等を変換して、ＰＣのディスプレイ装置の消費電力を低下させることができる。同様に、ポータルサイト自体にウェブページの変換機能を持たせておき、このポータルサイトからウェブページにアクセスして閲覧する際には、そのウェブページの背景色等を変換するように構成しても良い。このように構成することによって、特定の検索サイトやポータルサイトからウェブページにアクセスすることで、消費電力を削減するというサービスの提供が可能となる。
【００６１】
さらに、有害なウェブページ等に対するアクセスを禁止する等の機能を備えたウェブフィルタリングサーバに、本実施形態の中継器２０によるウェブページの変換機能を設け、このウェブフィルタリングサーバを利用するクライアントＰＣ１０に対して、ウェブページの背景色等の変換を行うことも可能である。また、外部ネットワークからのダウンロードや、ＣＤ−ＲＯＭ等の記録媒体によって各クライアントＰＣ１０にインストールするようにしたウェブフィルタリングソフトに上述の節電システムを実現するプログラムをバンドルして提供しても構わない。
【図面の簡単な説明】
【００６２】
【図１】節電システムを実現するためのハードウェア構成の一例を示す。
【図２】節電システムを実現するクライアントＰＣおよび中継器のハードウェア構成を説明するための図である。
【図３】クライアントＰＣの機能構成を示す図である。
【図４】中継器の機能構成を示す図である。
【図５】設定受付部が設定を受付ける際に表示するインターフェイスの例を示す図である。
【図６】色変換リストの一例を示す図である。
【図７】中継器における削減電力の設定動作を示す図である。
【図８】中継器の動作におけるウェブページの色変換動作を示す図である。
【図９】ディスプレイ装置に表示された原ウェブページと変換後のウェブページとを示す図である。
【図１０】他のシステム構成を示す図である。
【符号の説明】
【００６３】
１０…クライアントＰＣ、２０…中継器、２１…ウェブページ取得部、２２…色情報抽出部、２３…ウェブページ編集部、２４…設定受付部、２５…色変換リストＤＢ、２６…変換テーブル作成部、１００…ディスプレイ装置
【図１】
2010039638.tif 000003
【図２】
2010039638.tif 000004
【図３】
2010039638.tif 000005
【図４】
2010039638.tif 000006
【図５】
2010039638.tif 000007
【図６】
2010039638.tif 000008
【図７】
2010039638.tif 000009
【図８】
2010039638.tif 000010
【図９】
2010039638.tif 000011
【図１０】
2010039638.tif 000012